【手続補正書】
【提出日】平成19年3月6日(2007.3.6)
【手続補正１】
【補正対象書類名】明細書
【補正対象項目名】発明の名称
【補正方法】変更
【補正の内容】
【発明の名称】無線通信システム及び移動通信端末
【手続補正２】
【補正対象書類名】明細書
【補正対象項目名】特許請求の範囲
【補正方法】変更
【補正の内容】
【特許請求の範囲】
【請求項１】
外部ネットワークに接続された無線ＬＡＮアクセスポイントと、
第１の無線ＬＡＮインタフェースを備え、前記第１の無線ＬＡＮインタフェースを介して前記無線ＬＡＮアクセスポイントに接続可能な第１の移動通信端末と、
基地局を介して前記外部ネットワークに接続可能な移動通信インタフェース及び前記無線ＬＡＮアクセスポイントに接続可能な第２の無線ＬＡＮインタフェースを備えた第２の移動通信端末とから構成された無線通信システムであって、
前記第１の移動通信端末は、
前記無線ＬＡＮアクセスポイントを介して前記第２の移動通信端末に接続要求信号を送信する接続要求送信手段と、
前記接続要求信号送信後に前記第２の移動通信端末の前記第２の無線ＬＡＮインタフェースと接続を行う無線ＬＡＮ接続切替え手段とを有し、
前記第２の移動通信端末は、
前記接続要求信号を受信する接続要求受信手段と、
前記接続要求信号を受信した後に、前記第１の移動通信端末から前記第２の通信端末経由で前記基地局への接続を可能とする基地局接続手段とを有することを特徴とする無線通信システム。
【請求項２】
前記第１の移動通信端末は、さらに前記無線ＬＡＮアクセスポイントからの受信電界強度または前記無線ＬＡＮアクセスポイントとの通信状態の少なくとも一方を検出する通信状態検出手段を備え、
前記第２の移動通信端末の第２の無線ＬＡＮインタフェースは、無線ＬＡＮアクセスポイントまたは無線ＬＡＮクライアント機能を備え、
前記通信状態検出手段により、前記第１の移動通信端末が前記第２の移動通信端末の無線ＬＡＮアクセスポイントまたは無線ＬＡＮクライアント機能を用いて接続可能と判断された際に、
前記無線ＬＡＮ接続切替え手段がインフラストラクチャモードまたはアドホックモードにより、前記第２の移動通信端末の無線ＬＡＮアクセスポイントまたは無線ＬＡＮクライアント機能と接続を行うことを特徴とする請求項１記載の無線通信システム。
【請求項３】
アクセスポイントを介して通信可能な通信方式を用いる第１の通信インタフェースを有する移動通信端末であって、
所定の条件により、前記第１の通信インタフェースを介して他の移動通信端末に接続要求信号を送信し、
以後、前記アクセスポイントの管理下にない通信端末へのデータ送信を、前記アクセスポイントを介さずに、前記第１の通信インタフェース及び前記他の移動通信端末を介して前記通信端末へ行うことを特徴とする移動通信端末。
【請求項４】
前記所定の条件は、前記アクセスポイントからの受信電界強度が閾値以下である、若しくは前記アクセスポイントとの通信状態を示す転送レートが閾値より低くなるという条件を含むことを特徴とする請求項３に記載の移動通信端末。
【請求項５】
前記接続要求信号の送信後、前記第１の通信インタフェースは前記アクセスポイントが制御するネットワークとは異なるネットワークによって前記他の移動通信端末と通信することを特徴とする請求項３に記載の移動通信端末。
【請求項６】
前記通信方式が無線ＬＡＮであり、
前記ネットワークがアドホックモードで構成されるネットワーク、若しくは前記他の移動通信端末がアクセスポイントであるインフラストラクチャモードで構成されるネットワークであることを特徴とする請求項５に記載の移動通信端末。
【請求項７】
アクセスポイントを介して通信可能な通信方式を用いる第２の通信インタフェースと、
前記通信方式とは異なる通信方式を用い、基地局を介して通信可能な移動通信インタフェースとを有する移動通信端末であって、
他の移動通信端末より前記第２の通信インタフェース若しくは前記移動通信インタフェースを介して接続要求信号を受信すると、以後前記他の移動通信端末から送信される、前記アクセスポイントの管理下にない通信端末へのデータを、前記移動通信インタフェース及び基地局を介して送信することを特徴とする移動通信端末。
【請求項８】
前記他の移動通信端末より接続要求信号を受信すると、前記移動通信インタフェースを介して前記基地局への接続を確立することを特徴とする請求項７に記載の移動通信端末。
【請求項９】
前記接続要求信号を受信すると、
前記第２の通信インタフェースが自ら接続するネットワークを再構成した後、前記接続要求信号を送信した移動通信端末からのデータを受信することを特徴とする請求項７に記載の移動通信端末。
【請求項１０】
前記第２の通信インタフェースの用いる通信方式は無線ＬＡＮであり、
前記ネットワークの再構成とはインフラストラクチャモードからアドホックモードへの切換、若しくは他のアクセスポイントが構成するインフラストラクチャモードから自らがアクセスポイントとなるインフラストラクチャモードへの切換のいずれかであることを特徴とする請求項９に記載の移動通信端末。
【手続補正３】
【補正対象書類名】明細書
【補正対象項目名】００１３
【補正方法】変更
【補正の内容】
【００１３】
本発明は、上述した事情に鑑み提案されたもので、移動通信システムおよび無線ＬＡＮシステムがそれぞれ有する利点をともに享受することが可能な無線通信システム及び移動通信端末を提供することを目的とする。
【手続補正４】
【補正対象書類名】明細書
【補正対象項目名】００１４
【補正方法】変更
【補正の内容】
【００１４】
【課題を解決するための手段】
本発明に係る無線通信システムは、外部ネットワークに接続された無線ＬＡＮアクセスポイントと、第１の無線ＬＡＮインタフェースを備え、前記第１の無線ＬＡＮインタフェースを介して前記無線ＬＡＮアクセスポイントに接続可能な第１の移動通信端末と、基地局を介して前記外部ネットワークに接続可能な移動通信インタフェース及び前記無線ＬＡＮアクセスポイントに接続可能な第２の無線ＬＡＮインタフェースを備えた第２の移動通信端末とから構成された無線通信システムであって、
前記第１の移動通信端末は、前記無線ＬＡＮアクセスポイントを介して前記第２の移動通信端末に接続要求信号を送信する接続要求送信手段と、前記接続要求信号送信後に前記第２の移動通信端末の前記第２の無線ＬＡＮインタフェースと接続を行う無線ＬＡＮ接続切替え手段とを有し、
前記第２の移動通信端末は、前記接続要求信号を受信する接続要求受信手段と、前記接続要求信号を受信した後に、前記第１の移動通信端末から前記第２の通信端末経由で前記基地局への接続を可能とする基地局接続手段とを有することを特徴とするものである。
また、前記第１の移動通信端末は、さらに前記無線ＬＡＮアクセスポイントからの受信電界強度または前記無線ＬＡＮアクセスポイントとの通信状態の少なくとも一方を検出する通信状態検出手段を備え、前記第２の移動通信端末の第２の無線ＬＡＮインタフェースは、無線ＬＡＮアクセスポイントまたは無線ＬＡＮクライアント機能を備え、
前記通信状態検出手段により、前記第１の移動通信端末が前記第２の移動通信端末の無線ＬＡＮアクセスポイントまたは無線ＬＡＮクライアント機能を用いて接続可能と判断された際に、前記無線ＬＡＮ接続切替え手段がインフラストラクチャモードまたはアドホックモードにより、前記第２の移動通信端末の無線ＬＡＮアクセスポイントまたは無線ＬＡＮクライアント機能と接続を行うことを特徴とする。
【手続補正５】
【補正対象書類名】明細書
【補正対象項目名】００１５
【補正方法】変更
【補正の内容】
【００１５】
このような構成を備えることにより、第１の移動通信端末が移動通信システムサービスエリア内にあるとともに、無線ＬＡＮホットスポットエリア内にある場合に、通信状態検出手段により、第１の移動通信端末が無線ＬＡＮアクセスポイントと通信中で、かつ第２の移動通信端末と、第１の無線ＬＡＮインタフェースおよび第２の無線ＬＡＮインタフェースを介して接続が必要であると判断されると、接続要求送信手段は、無線ＬＡＮアクセスポイントを介して、第２の移動通信端末に接続要求信号を送信する。
また、第１の移動通信端末の無線ＬＡＮ切替え手段は、通信状態検出手段により検出された各無線ＬＡＮ信号の電界強度を判断し、最大電界強度を有する無線ＬＡＮアクセスポイントと接続する。第２の移動通信端末は、接続要求受信手段を用いて、第１の移動通信端末から送られてきた接続要求信号を受信する。そして、第１の移動通信端末からの接続要求信号と判断された場合に、基地局との無線接続を行い、第２の無線ＬＡＮインタフェースをアクティブとし、第１の無線ＬＡＮインタフェースからの接続を可能とする。
また、第１の移動通信端末は、無線ＬＡＮ切替え手段により、無線ＬＡＮホットスポットとの通信を切り替えて、第１の無線ＬＡＮインタフェースおよび第２の無線ＬＡＮインタフェースを介して第２の移動通信端末と接続し、基地局を経由して、継続的にユーザの無線アクセスを維持することができる。
また、第２の移動通信端末は、アドホックモードにより、複数の第１の移動通信端末と１対１の接続が可能となり、インフラストラクチャモードにより、複数の第１の移動通信端末と同時に接続することが可能となる。
【手続補正６】
【補正対象書類名】明細書
【補正対象項目名】００１６
【補正方法】変更
【補正の内容】
【００１６】
本発明に係る移動通信端末は、アクセスポイントを介して通信可能な通信方式を用いる第１の通信インタフェースを有する移動通信端末であって、所定の条件により、前記第１の通信インタフェースを介して他の移動通信端末に接続要求信号を送信し、以後、前記アクセスポイントの管理下にない通信端末へのデータ送信を、前記アクセスポイントを介さずに、前記第１の通信インタフェース及び前記他の移動通信端末を介して前記通信端末へ行うことを特徴とするものである。
【手続補正７】
【補正対象書類名】明細書
【補正対象項目名】００１７
【補正方法】変更
【補正の内容】
【００１７】
ここで、前記所定の条件は、前記アクセスポイントからの受信電界強度が閾値以下である、若しくは前記アクセスポイントとの通信状態を示す転送レートが閾値より低くなるという条件を含むことを特徴とする。
また、前記接続要求信号の送信後、前記第１の通信インタフェースは前記アクセスポイントが制御するネットワークとは異なるネットワークによって前記他の移動通信端末と通信することを特徴とする。
また、前記通信方式が無線ＬＡＮであり、前記ネットワークがアドホックモードで構成されるネットワーク、若しくは前記他の移動通信端末がアクセスポイントであるインフラストラクチャモードで構成されるネットワークであることを特徴とする。
【手続補正８】
【補正対象書類名】明細書
【補正対象項目名】００１８
【補正方法】変更
【補正の内容】
【００１８】
また、本発明に係る移動通信端末は、アクセスポイントを介して通信可能な通信方式を用いる第２の通信インタフェースと、前記通信方式とは異なる通信方式を用い、基地局を介して通信可能な移動通信インタフェースとを有する移動通信端末であって、
他の移動通信端末より前記第２の通信インタフェース若しくは前記移動通信インタフェースを介して接続要求信号を受信すると、以後前記他の移動通信端末から送信される、前記アクセスポイントの管理下にない通信端末へのデータを、前記移動通信インタフェース及び基地局を介して送信することを特徴とするものである。
【手続補正９】
【補正対象書類名】明細書
【補正対象項目名】００１９
【補正方法】変更
【補正の内容】
【００１９】
ここで、前記他の移動通信端末より接続要求信号を受信すると、前記移動通信インタフェースを介して前記基地局への接続を確立することを特徴とする。
また、前記接続要求信号を受信すると、前記第２の通信インタフェースが自ら接続するネットワークを再構成した後、前記接続要求信号を送信した移動通信端末からのデータを受信することを特徴とする。
また、前記第２の通信インタフェースの用いる通信方式は無線ＬＡＮであり、前記ネットワークの再構成とはインフラストラクチャモードからアドホックモードへの切換、若しくは他のアクセスポイントが構成するインフラストラクチャモードから自らがアクセスポイントとなるインフラストラクチャモードへの切換のいずれかであることを特徴とする。